(57)【要約】      （修正有）【課題】既に取り付けられている火災感知器と天井等の被取付け部との間に好適に着脱することができる情報発信アダプタを提供する。【解決手段】感知器ベース（火災感知器）と取付けベースプレート１１０との間で、取付けベースプレート１１０に固設されている蓋部１２０Ｂとケース本体１２０Ａを係合させる場合、ケース本体１２０Ａを蓋部１２０Ｂに向けてスライド移動させながら押し込むと、係止片１２８の爪１２８ａが被係止部１２９に係合して、ケース本体１２０Ａと蓋部１２０Ｂとを結合させることができる。また、係止片１２８を押し下げて被係止部１２９との係合を解除することで、ケース本体１２０Ａと蓋部１２０Ｂとの結合を解除することができる。こうして、火災感知器と天井等の被取付け部との間に情報発信アダプタ１００のアダプタケース１２０を好適に着脱することができる。【選択図】図４
2019207582.tif 000002
【特許請求の範囲】
【請求項１】
被取付け部に固定され、火災感知器を取付け可能である板状のベース部材と、
情報発信モジュールを内蔵し前記ベース部材に固定されるケース部材と、
を備え、
前記ベース部材には、前記火災感知器に接続される配線が挿通可能な開口部が中央に形成され周縁部に前記開口部と外側空間とを連通する入口部が形成され、かつ当該ベース部材を前記被取付け部に固定するためのネジの軸部を挿通可能な一対の穴が前記開口部を挟んだ状態で形成されるとともに、当該ベース部材の表面から所定距離を置いた位置に前記火災感知器を取付けるためのネジが螺合可能なネジ穴を有する一対の感知器固定部が設けられ、
前記ケース部材は、前記火災感知器に接続される配線が挿通可能な開口が中央に形成され周縁部に前記開口と外側空間とを連通する入口が形成されたケース本体と、前記入口に係合されてケースの外形を補完する蓋部と、を備え、
前記ケース本体は、前記感知器固定部に固定された前記火災感知器と前記ベース部材の表面との間でスライド移動可能であり、前記ベース部材に固設されている前記蓋部と着脱可能に構成されており、
前記ケース本体には、先端に係止用の爪を有し移動方向に向かって突出する係止片が１つ設けられ、
前記蓋部における前記係止片と対向する部位には被係止部が１つ設けられ、
前記係止用の爪が前記被係止部に係合されることで前記ケース本体と前記蓋部とが結合されるように構成されていることを特徴とする情報発信アダプタ。
【請求項２】
前記蓋部の前記被係止部の近傍には、前記被係止部に係合された前記係止片を操作可能にするための凹部が形成されていることを特徴とする請求項１に記載の情報発信アダプタ。
【発明の詳細な説明】
【技術分野】
【０００１】
本発明は、ビーコン等の情報発信機能を有する情報発信モジュールを内蔵した感知器のアダプタに関し、特に建物の天井等に設置される火災感知器と天井面等との間に設置可能な情報発信アダプタに関する。
【背景技術】
【０００２】
近年、機器固有の識別情報を無線により発信するビーコン等の情報発信器や当該情報発信器に電力を供給する電池などを備えた情報発信モジュールが、建物内に所定の距離をおいて設置されている位置検出システムがある。このような位置検出システムでは、複数の情報発信モジュールの各識別情報と各設置箇所とを対応付けたマップ情報（テーブル）が予め作成され、情報発信モジュールからの信号を受信可能な端末装置に記憶され、該端末装置を携帯した人間が建物内を移動した際に、端末装置が情報発信モジュールから識別情報を受信することで、受信した識別情報とマップ情報とから建物内での位置を検出するのに利用される。
マップ情報が管理装置に記憶される位置検出システムもあり、かかるシステムでは、端末装置が受信した識別情報を端末装置が管理装置へ送信することで、管理装置側において端末装置の保有者の建物内での位置を把握することができる。
【０００３】
従来、建物の天井等に設置される火災感知器には、アドレス機能付火災感知器の他に、アドレス機能を有しない火災感知器である一般火災感知器があり、この一般火災感知器にアドレス機能を付与する中継器が提案されている（例えば特許文献１参照）。特許文献１に記載されている中継器は、建物の天井等（感知器取着面）に固着する感知器ベース（ベース）と、当該感知器ベースに取付ける感知器本体（一般火災感知器）と、の間に設置可能にされる。そして、当該中継器は、自己の固有アドレスを有しており、一般火災感知器が発報した際に、発報信号とともに自己のアドレスを火災受信機に送信するよう構成されている。
【先行技術文献】
【特許文献】
【０００４】
【特許文献１】特開平１０−２９３８９１号公報
【発明の概要】
【発明が解決しようとする課題】
【０００５】
特許文献１の中継器のような技術を応用して、例えば情報発信モジュールを備えた情報発信機器をアダプタとして構成し、建物の天井等に設置される火災感知器と天井面等との間に取り付けることで、情報発信モジュール専用の設置箇所を別途設けることなく、複数の情報発信モジュールを建物の適切な位置に適当な間隔で配置することができる。
しかしながら、上記先願の中継器の場合、当該中継器を構成する構成部品（連結端子、接続端子、一般火災感知器の発報検出やアドレス付加などを行う回路が設けられた基板等）を交換する際には、感知器ベースから感知器本体を外して、感知器ベースと感知器本体との接続を解除する必要がある。
【０００６】
また、感知器ベースと感知器本体との接続が解除されると、火災感知器の機能が停止した状態、すなわち火災感知器による火災監視が中断された状態になる。従って、上記特許文献１の中継器の場合、火災感知器による火災監視が中断された状態でなければ、構成部品の交換を行うことができない。
さらに、感知器ベースと感知器本体との間に中継器等を介在させることは、火災感知器の機能や性能に影響を与えるおそれがある。
【０００７】
そこで、本発明者らは、建物の天井等に取付けられた火災感知器と天井面との間に、火災感知器の機能や性能に影響を与えることなく設置でき、かつ、火災感知器による火災監視を中断することなく構成部品の交換を行うことができる情報発信アダプタについて検討した。具体的には、火災感知器は通常、感知器ベースが２本のネジで天井面に固定され、該感知器ベースに感知器本体がワンタッチ式で装着される構成を有しているので、感知器ベースの固定用のネジ穴を利用して、感知器ベースを取り付け可能な部位を有する取付けベースプレートを取り付け、該取付けベースプレートと感知器ベースとの間に情報発信アダプタを介在させる構成を考えた。
【０００８】
ただし、既に取り付けられている火災感知器の感知器ベースと天井面との間に情報発信アダプタを介在させるには、感知器ベースを一旦天井面から外す必要があり、その際に、天井面に形成されている配線穴を通じて感知器ベースに接続されている配線が引き出されてしまい、その配線が情報発信アダプタの取付けの妨げになることがあるという問題があった。
また、例えば、特願２０１７−１８４４１０号における情報発信アダプタでは、そのアダプタケース（ケース部材）に係止片と被係止部が２組設けられており、２本の指を使用した操作、又は例えばマイナスドライバーなどの工具により１片ずつ行う操作でなければケース本体と蓋部との結合を解除することができず、天井を向いて行う解除作業が煩雑であるという問題があったので、本発明者らが鋭意検討して、より容易にケース本体と蓋部との結合を解除するための技術を考えた。
【０００９】
本発明の目的は、既に取り付けられている火災感知器と天井等の被取付け部との間に好適に着脱することができる情報発信アダプタを提供することにある。
【課題を解決するための手段】
【００１０】
上記課題を解決するため、本発明の情報発信アダプタは、
被取付け部に固定され、火災感知器を取付け可能である板状のベース部材と、
情報発信モジュールを内蔵し前記ベース部材に固定されるケース部材と、
を備え、
前記ベース部材には、前記火災感知器に接続される配線が挿通可能な開口部が中央に形成され周縁部に前記開口部と外側空間とを連通する入口部が形成され、かつ当該ベース部材を前記被取付け部に固定するためのネジの軸部を挿通可能な一対の穴が前記開口部を挟んだ状態で形成されるとともに、当該ベース部材の表面から所定距離を置いた位置に前記火災感知器を取付けるためのネジが螺合可能なネジ穴を有する一対の感知器固定部が設けられ、
前記ケース部材は、前記火災感知器に接続される配線が挿通可能な開口が中央に形成され周縁部に前記開口と外側空間とを連通する入口が形成されたケース本体と、前記入口に係合されてケースの外形を補完する蓋部と、を備え、
前記ケース本体は、前記感知器固定部に固定された前記火災感知器と前記ベース部材の表面との間でスライド移動可能であり、前記ベース部材に固設されている前記蓋部と着脱可能に構成されており、
前記ケース本体には、先端に係止用の爪を有し移動方向に向かって突出する係止片が１つ設けられ、
前記蓋部における前記係止片と対向する部位には被係止部が１つ設けられ、
前記係止用の爪が前記被係止部に係合されることで前記ケース本体と前記蓋部とが結合されるように構成されているようにしたものである。
【００１１】
上記した構成によれば、建物の天井等の被取付け部に設置されている火災感知器とその被取付け部との間に情報発信アダプタを設置することができるため、その取付けを簡単に行うことができる。また、感知器固定部を備えたベース部材がネジによって被取付け部に固定され、このベース部材の感知器固定部に火災感知器がネジによって固定される構成であるので、ベース部材が安定した被取付け部とみなすことができる部材となるため、火災感知器の機能や性能に影響を与えることなく情報発信アダプタを好適に設置することができる。
そして、この情報発信アダプタのケース部材を取り付ける場合、ケース本体を蓋部に向けてスライド移動させながら押し込むと、係止片の爪が被係止部に係合して、ケース本体と蓋部とを結合させることができる。
また、係止片を押し下げて被係止部との係合を解除することで、ケース本体と蓋部との結合を解除することができる。
こうして、情報発信アダプタのケース本体と蓋部との結合や解除を容易にできるので、火災感知器と天井等の被取付け部との間に情報発信アダプタのケース部材を好適に着脱することができる。
特に、このケース部材（ケース本体と蓋部）には、係止片と被係止部が１組設けられているので、片手の操作でケース本体と蓋部との結合を容易に解除することができる。
このように、天井面などに固定されたアダプタのケース本体の結合を解除するために、係止片に掛ける指が１本で済み、さらにその指に力を入れるために他の指は感知器などに掛ける（確実に掴む）ことに使うことができるので、確実な解除作業や作業し易い体勢を維持して解除することができる。
【００１２】
また、望ましくは、
前記蓋部の前記被係止部の近傍には、前記被係止部に係合された前記係止片を操作可能にするための凹部が形成されているようにする。
【００１３】
凹部を形成したことで被係止部に係合された係止片を押し下げるなど操作し易くなり、係止片と被係止部との係合を解除し易くなる。
例えば、凹部がない場合には、工具を使用しなければ係止片と被係止部との係合を解除することができないことがあった。
具体的には、外観の美観から、係止片をさほど突出させることができず、その係止片に比較的指を掛け難いために、工具を使用しなければ係止片と被係止部との係合を解除することができないことがあったが、凹部を形成したことで係止片と被係止部との係合を解除し易くした。
【発明の効果】
【００１４】
本発明によれば、既に取り付けられている火災感知器と天井等の被取付け部との間に好適に着脱することができる情報発信アダプタが得られる。
【図面の簡単な説明】
【００１５】
【図１】本発明の実施形態に係る情報発信アダプタの外観を示すもので、（Ａ）はアダプタを天井等の取付け面と火災感知器の感知器ベースとの間に設置した状態を示す正面図、（Ｂ）はその下面図である。
【図２】図１に示す火災感知器を構成する感知器ベースの一例を示す下面図である。
【図３】実施形態の情報発信アダプタを構成するアダプタケースおよび取付けベースプレートの一例を示す分解斜視図である。
【図４】実施形態の情報発信アダプタを構成するアダプタケースおよび取付けベースプレートの一例を示す分解斜視図である。
【図５】情報発信アダプタのケース本体の部分拡大図である。
【図６】取付けベースプレートへ感知器ベースを取り付けた状態を示す下面図である。
【図７】取付けベースプレートにアダプタケースの蓋部を取り付けた状態を示す斜視図である。
【図８】実施形態の情報発信アダプタの取付けベースプレートにアダプタケースを組み付けた状態を示す斜視図である。
【図９】取付けベースプレートにアダプタケースを組み付けた状態を図８と反対側から見た様子を示す斜視図である。
【図１０】アダプタケースのケース本体と蓋部とが係合していない状態を示す斜視図である。
【図１１】アダプタケースのケース本体と蓋部とが係合している状態を示す斜視図である。
【図１２】ケース本体の隆起部と取付けベースプレートの押圧片に関する説明図（Ａ）（Ｂ）である。
【図１３】ケース本体のスライド溝の凸部と取付けベースプレートのガイド片に関する説明図（Ａ）（Ｂ）（Ｃ）である。
【発明を実施するための形態】
【００１６】
以下、本発明に係る情報発信アダプタの実施形態について図面を参照しながら説明する。なお、以下の説明では、天井面に取り付けられた際に天井側となる方を上側とし、床側となる方を下側とする。
図１（Ａ），（Ｂ）は、本発明の実施形態に係る情報発信アダプタを天井等の取付け面と火災感知器の感知器ベースとの間に設置した状態を示す正面図およびそれを下方から見た図である。また、図２は、火災感知器の感知器ベースの一例を示す図であって、下側から見た図である。
【００１７】
本実施形態の情報発信アダプタ１００は、図１（Ａ）に示すように、火災感知器２００と、当該火災感知器２００が取付けられる天井面などの被取付け部Ｐと、の間に設置可能に構成されている。ここで、被取付け部Ｐは、天井面の他、屋内配線等に用いられるボックス（アウトレットボックス、露出ボックス等）や感知器取付金具などであっても良い。
火災感知器２００は、図１（Ａ）に示すように、略円盤状の感知器ベース２１０と、外形がドーム状をなし作動状態を表示するスポット型のランプＬ１（あるいはリング状の発光部）が設けられている感知器本体２２０と、を備えている。
【００１８】
ここで、感知器ベース２１０は、火災感知器２００の基部となる部材であり、通常、固定ネジＮ１によって被取付け部Ｐに取付けられているが、本実施形態の場合、固定ネジＮ１によって取付けベースプレート１１０が被取付け部Ｐに取付けられ、感知器ベース２１０は、固定ネジＮ２によって取付けベースプレート１１０の固定部（後述）に取付けられる。このとき、取付けベースプレート１１０と感知器ベース２１０との間に情報発信アダプタ１００を介在させる空間が確保されるようになっている。
【００１９】
なお、取付け状態において、火災感知器２００の中心と情報発信アダプタ１００の中心は一致している。固定ネジＮ２が螺合されるネジ穴は、固定ネジＮ１が螺合されるネジ穴に対して所定角度（例えば、１５〜４０°）回転した位置に設けられており、火災感知器２００が被取付け部Ｐに取付けられているときのランプＬ１の位置を点線Ｂで示すと、取付けベースプレート１１０の固定部に取付けられているときのランプＬ１の位置は実線のようになる。
上記のようにネジ穴の位置をずらすことによって、固定ネジＮ１を回す際にドライバが、固定ネジＮ２が螺合されるネジ穴が形成されている部材と干渉しないように構成されている。
【００２０】
感知器ベース２１０は、図２に示すように、円筒状をなす難燃性樹脂からなる本体２１１と、本体２１１の下面側に装着された複数（本実施形態では３つ）の接続端子２１２と、を備えている。上記接続端子２１２は、天井面等の取付け面に形成された開口から引き出された電源線や伝送線などの感知器配線Ｑ（図１）を、感知器本体２２０に電気的に接続するためのものである。接続端子２１２は、箱型部分２１２ａと、当該箱型部分２１２ａから延出するブレード状部分２１２ｂと、を有している。箱型部分２１２ａは、電線接続端子であり、当該箱型部分２１２ａに設けられた差込穴２１２ａ１に感知器配線Ｑの先端が差込まれるようになっている。ブレード状部分２１２ｂは、連結端子であり、火災の感知を実際に行う感知器本体２２０に設けられた爪片（連結端子）と係合して当該感知器本体２２０を保持するようになっている。
【００２１】
感知器ベース２１０の本体２１１には、一対の第一ネジ挿通穴２１３と、一対の第二ネジ挿通穴２１４と、一対の第三ネジ挿通穴２１６が感知器ベース２１０の厚さ方向（上下方向）に貫通して設けられている。これらのネジ挿通穴２１３、２１４、２１６は、固定ネジＮ１用のネジ挿通穴（固定ネジＮ１の軸部が挿通可能な穴）として設けられたものであるが、本実施形態の場合、第一ネジ挿通穴２１３を、固定ネジＮ２用のネジ挿通穴（固定ネジＮ２の軸部が挿通可能な穴）として使用する。したがって、固定ネジＮ１用のネジ穴として設けられた第一ネジ穴２１３を、固定ネジＮ２用のネジ穴として使用できるよう、固定ネジＮ２として、固定ネジＮ１と同一形状のネジ、あるいは固定ネジＮ１と軸部の長さのみが異なるネジを用いる。
【００２２】
第一ネジ挿通穴２１３は、略円盤状の感知器ベース２１０と同心の円周方向に沿って延びる円弧状に形成されている。そして、第一ネジ挿通穴２１３が配置される円周の中心と、第二ネジ挿通穴２１４が配置される円周の中心と、感知器ベース２１０の中心と、は同一である。なお、感知器ベース２１０の中心から第一ネジ挿通穴２１３までの距離は、感知器ベース２１０の中心から第二ネジ挿通穴２１４までの距離より僅かに短い。
円弧状の上記第一ネジ挿通穴２１３の一方の端部には、円弧部の幅よりも大きな径の大径部２１３ａが形成されている。この大径部２１３ａは、もともとは天井等の被取付け部Ｐに固定ネジＮ１の先端を螺合させた後に感知器ベースを装着させることができるように、つまり感知器ベースの装着の際に固定ネジＮ１の頭部が邪魔にならないようにするために設けられたものである。
【００２３】
本実施形態では、第一ネジ挿通穴２１３の大径部２１３ａを利用して固定ネジＮ１によって取付けベースプレート１１０を被取付け部Ｐに取付けることができるように、取付けベースプレート１１０にネジ挿通穴１１３Ａ，１１３Ｂ（図３，４参照）が形成されているとともに、第一ネジ挿通穴２１３の大径部と反対側の端部において固定ネジＮ１によって感知器ベース２１０を取付けベースプレート１１０に取付けられるように固定部（後述）が設けられている。大径部２１３ａを利用して固定ネジＮ１によって取付けベースプレート１１０を取付けるとは、大径部２１３ａを利用してドライバを挿入して固定ネジＮ１を回すことを可能とするという意味である。
上記のように構成することで、情報発信アダプタ１００と感知器ベース２１０を新たに設置する際の取り付け作業が簡単になる。
【００２４】
具体的には、例えば新築時のように、情報発信アダプタ１００と感知器ベース２１０及び感知器ヘッド２２０を各々新規に取付ける場合、その手順は、脚立を使用してまず天井面に取付けベースプレート１１０を取付け、次に感知器ベースの取付け、感知器ベースへの結線、感知器ヘッドの取付け、情報発信アダプタの挿入となる。この場合、取付けベースプレートと感知器ベースを別々に天井面に取付けることとなるため、作業員が天井を向いて行う作業が多く負担がかかるが、本実施形態のような構成であれば、予め、脚立使用前に取付けベースプレート１１０と感知器ベース２１０を組み立てておいて、組み付いた状態の取付けベースプレートと感知器ベースを天井面に取付ければよいので、天井を向いて行う作業を減らすことができ、作業負担を軽くすることができる。
【００２５】
また、既設備において、情報発信アダプタ１００を後から装着する場合の感知器ベース２１０の付け替え作業においても、もともとの感知器ベース２１０の取付け穴が第一ネジ挿通穴２１３であれば、感知器ベースを天井面から取り外し、取付けベースプレートと感知器ベースとを組み立て、組み立てられた状態の取付けベースプレート１１０と感知器ベース２１０を天井面に取付けることができるため、天井を向いて行う作業を減らすことができ、作業負担を軽くすることができる。
また、感知器ベース２１０の本体２１１の略中央部には、感知器配線Ｑの先端部を感知器ベース２１０の上面側から下面側へと引込むための引込穴２１５が、感知器ベース２１０の厚さ方向（上下方向）に貫通して設けられている。
【００２６】
図３〜図１１は、本実施形態に係る情報発信アダプタ１００の一例を示す図である。
図３，４は情報発信アダプタ１００の分解斜視図である。図５は情報発信アダプタ１００のケース本体１２０Ａの部分拡大図である。図６は情報発信アダプタ１００を天井面等に取付けるための取付けベースプレート１１０を天井面等に固定する固定ネジＮ１とネジ穴との関係および感知器ベース２１０を取付けベースプレート１１０に固定する固定ネジＮ２とネジ穴との関係を示す図である。図７は取付けベースプレート１１０にアダプタケース１２０の蓋部１２０Ｂを取り付けた状態の斜視図である。図８は情報発信アダプタ１００を組み立てた状態を示す斜視図であり、図９はその裏面の斜視図である。図１０はアダプタケース１２０のケース本体１２０Ａと蓋部１２０Ｂとが結合していない状態を示す斜視図であり、図１１はケース本体１２０Ａと蓋部１２０Ｂとが結合している状態を示す斜視図である。
【００２７】
本実施形態の情報発信アダプタ１００は、図３，４に示すように、略板状をなす取付けベースプレート１１０と、略円盤状をなす合成樹脂製のアダプタケース１２０とを有する。取付けベースプレート１１０は、もともと感知器ベース２１０を固定するために設けられているネジ穴を利用してネジによって天井面等に固定されるとともに、後述するように、感知器ベース２１０を固定するためＬ字状のベース固定部１１１Ａ，１１１Ｂが設けられ、該ベース固定部１１１Ａ，１１１Ｂに感知器ベース２１０を固定した際に感知器ベース２１０の上面と取付けベースプレート１１０の下面との間に空間が生じるようにして、この空間に情報発信アダプタ１００を介在させる構成になっている。
この一対のベース固定部１１１Ａ，１１１Ｂの下片（水平片）は、取付けベースプレート１１０の表面と略平行に対向しており、特にベース固定部１１１Ａの下片部分は押圧片１１１Ｃとして機能するように形成されている。
この押圧片１１１Ｃは、感知器ベース２１０と取付けベースプレート１１０の間に介在する情報発信アダプタ１００（ケース本体１２０Ａ）を取付けベースプレート１１０の表面に向けて押圧する機能を有している。
この押圧片１１１Ｃの機能については後述する。
【００２８】
また、取付けベースプレート１１０の表面であってベース固定部１１１Ａの近傍には、ガイド片１１６が設けられている。このガイド片１１６は、感知器ベース２１０と取付けベースプレート１１０の間に介在する情報発信アダプタ１００（ケース本体１２０Ａ）に向けるように立設されている。
そして、図５に示すように、情報発信アダプタ１００のケース本体１２０Ａには、ケース本体１２０Ａのスライド移動方向に沿うスライド溝１２６が形成されており、そのスライド溝１２６にガイド片１１６が係入されるようになっている。スライド溝１２６には凸部１２６ａが設けられている。
このガイド片１１６とスライド溝１２６（凸部１２６ａ）の機能については後述する。
【００２９】
上記ベース固定部１１１Ａ，１１１Ｂの下面には、図３，４，７に示すように、取付けベースプレート１１０の中心から同一距離位置であって、感知器ベース２１０の第一ネジ挿通穴２１３と同一半径位置に、ネジ穴１１１ａ，１１１ｂが形成されている。また、取付けベースプレート１１０のプレート部には、ネジ穴１１１ａ，１１１ｂと同一半径位置に、一対の円弧状のネジ挿通用の長穴１１２Ａ，１１２Ｂが形成されている。この長穴１１２Ａ，１１２Ｂの端部には、ネジＮ１の頭部が通過可能な大径穴が設けられ、ネジＮ１を緩めるだけで取付けベースプレート１１０の着脱が可能になっている。
【００３０】
感知器ベース２１０が、天井面等に一対のネジＮ１により第一ネジ挿通穴２１３を使用して取り付けられていた場合には、ネジＮ１を緩めて感知器ベースを外し、取付けベースプレート１１０のネジ挿通用の長穴１１２Ａ，１１２Ｂを使用して取付けベースプレート１１０を天井面に取り付けた後、ベース固定部１１１Ａ，１１１Ｂの下面のネジ穴１１１ａ，１１１ｂにネジＮ２を使用して感知器ベースを取り付けることができる。
また、新規に、天井面等の被取付け部に情報発信アダプタ１００および感知器を取り付ける場合、取付けベースプレート１１０の一対のネジ挿通穴１１３Ａ，１１３Ｂを使用して取付けベースプレート１１０をネジＮ１により被取付け部に取付けた後、取付けベースプレート１１０のベース固定部１１１Ａ，１１１Ｂに、ネジＮ２により第一ネジ挿通穴２１３を使用して感知器ベース２１０を取り付けることができる。
【００３１】
上記のように、ネジＮ１を挿通する取付けベースプレート１１０の穴１１２Ａ，１１２Ｂと１１３Ａ，１１３Ｂが、感知器ベース２１０を取り付けるネジＮ２が螺合されるネジ穴１１１ａ，１１１ｂと同一半径位置であっても、円周方向にずれているため、干渉することなくネジＮ１，Ｎ２を回すことができる。
しかも、取付けベースプレート１１０を被取付け部に取付けるためのネジＮ１を、図６に示すように、感知器ベース２１０の円弧状の第一ネジ挿通穴２１３の大径部と取付けベースプレート１１０のネジ挿通穴１１３Ａ（１１３Ｂ）に挿通して取り付けることができるので、取付けベースプレート１１０と感知器ベース２１０をネジＮ２により接合した後に、感知器ベース２１０の円弧状の第一ネジ挿通穴２１３の大径部にネジＮ１とドライバを挿入して回すことができる。そのため、天井を向いて行う作業を減らすことができ、作業者の負担を軽くすることができる。
【００３２】
なお、天井面等の被取付け部Ｐに取付けられた取付けボックスの被取付け用の一対のネジ穴間隔が、感知器ベースの一対の第一ネジ挿通穴２１３の間隔と異なる場合には、一対の第二ネジ挿通穴２１４または一対の第三ネジ挿通穴２１６がこの間隔になるように形成されており、この場合、取付けベースプレート１１０の第二ネジ挿通穴２１４に対応する穴１１７Ａ、１１７Ｂまたは第三ネジ挿通穴２１６に対応する穴１１８Ａ、１１８Ｂを使用して、取付けベースプレート１１０を取付けボックスに取り付けることができる。
【００３３】
また、感知器ベース２１０が、天井面等に、ネジＮ１により直接、一対の第二ネジ挿通穴２１４や一対の第三ネジ挿通穴２１６を使用して取り付けられていた場合には、ネジＮ１により、取付けベースプレート１１０の穴１１７Ａ、１１７Ｂまたは穴１１８Ａ、１１８Ｂを使用して、取付けベースプレート１１０を天井面に取り付けても良い。
なお、感知器ベース２１０は、ネジＮ２により、取付けベースプレート１１０のネジ穴１１１ａ、１１１ｂを使用して取り付けられるが、作動表示灯の向きを考慮して、感知器ベースにおいては、ネジ穴１１１ａ、１１１ｂと同径の感知器ベース２１０の穴２１３が統一して使用される。
【００３４】
また、新規に、天井面等被取付け部に取付けベースプレート１１０を取り付ける場合も、一対の長穴１１２Ａ、１１２Ｂを使用せずに、穴１１７Ａ、１１７Ｂまたは穴１１８Ａ、１１８Ｂを使用して取り付けても良い。
取付けベースプレート１１０の長穴１１２Ａ，１１２Ｂの縁部に付されているマークＭ１（図３）と感知器ベース２１０の長穴２１３の縁部に付されているマークＭ２（図２）は、天井等に既に設置されている感知器を外して取付けベースプレート１１０を固定し、感知器を付け替える際に、ネジＮ１，Ｎ２を取り付ける位置を示す目印である。これにより、位置合わせがし易くなる。
【００３５】
上記取付けベースプレート１１０に、情報発信モジュールや電池を内蔵したアダプタケース１２０が組み付けられる。
アダプタケース１２０は、円筒の外周の一部を切り欠いたような形状を有するケース本体１２０Ａと上記切欠き部分を補完するように係合される蓋部１２０Ｂとからなり、情報発信モジュールや電池などの発振器の構成部品は、ケース本体１２０Ａの内部空間に収納される。
【００３６】
本実施形態においては、図７に示すように、先ず蓋部１２０Ｂが取付けベースプレート１１０に接合された状態にされており、その後、図８に示すように、ケース本体１２０Ａと蓋部１２０Ｂが結合されることで、全体として円盤状をなすように構成されている。
このケース本体１２０Ａは、ベース固定部１１１Ａ，１１１Ｂに固定された感知器ベース２１０（火災感知器２００）と取付けベースプレート１１０の表面との間でスライド移動可能であって、取付けベースプレート１１０に固設されている蓋部１２０Ｂと着脱可能に構成されている。
ここで、感知器ベース２１０（火災感知器２００）と取付けベースプレート１１０との間で、取付けベースプレート１１０に固設されている蓋部１２０Ｂとケース本体１２０Ａを係合させて、ケース本体１２０Ａを蓋部１２０Ｂに取り付けた状態において、図１０，１１、図１２（Ａ）（Ｂ）に示すように、ケース本体１２０Ａの一部が取付けベースプレート１１０の表面とベース固定部１１１Ａの押圧片１１１Ｃとに挟まれ、その押圧片１１１Ｃによってケース本体１２０Ａが取付けベースプレート１１０の表面に向けて押圧されるようになっている。
具体的には、ケース本体１２０Ａの一部が取付けベースプレート１１０の表面と押圧片１１１Ｃとで挟まれた状態で、押圧片１１１Ｃが当接しているケース本体１２０Ａの表面には、押圧片１１１Ｃに向かって隆起した隆起部１２５が設けられている。この隆起部１２５と押圧片１１１Ｃとが係わり合い接触したことによる反力によって、押圧片１１１Ｃがケース本体１２０Ａを取付けベースプレート１１０の表面に向けて押圧するようになっている。
この押圧片１１１Ｃによってケース本体１２０Ａが押圧されることで、ケース本体１２０Ａが天井等の被取付け部Ｐに密接するようになるので、被取付け部Ｐとの隙間を目立たせないようにケース本体１２０Ａを取り付けることができる。
なお、ケース本体１２０Ａを、取付けベースプレート１１０の表面と押圧片１１１Ｃに挟み込むようにスライドさせる必要があるため、ケース本体１２０Ａと取付けベースプレート１１０表面の間及びケース本体１２０Ａと押圧片１１１Ｃの間に僅かな隙間を設ける必要があるが（図１２（Ａ）参照）、ケース本体１２０Ａと蓋部１２０Ｂとの係合完了時に、ケース本体１２０Ａの隆起部１２５と押圧片１１１Ｃとが係わり合い接触したことで、その押圧片１１１Ｃによってケース本体１２０Ａが取付けベースプレート１１０側に押し上げられるようになって、被取付け部Ｐとの隙間を埋めることができる（図１２（Ｂ）参照）。
特に、この隆起部１２５は、ケース本体１２０Ａの一部が取付けベースプレート１１０の表面と押圧片１１１Ｃとで挟まれるように、ケース本体１２０Ａが蓋部１２０Ｂに向かってスライド移動する方向とは逆向きに漸次厚みを増す形状を有しているので、その隆起部１２５の傾斜面が押圧片１１１Ｃとが係わり合ったことで、ケース本体１２０Ａが浮き上がるように取付けベースプレート１１０側に押し上げられ易くなっている。
【００３７】
また、蓋部１２０Ｂは、取付けベースプレート１１０にネジで接合されるように構成されている。具体的には、蓋部１２０Ｂが合成樹脂で形成されているとともに、取付けベースプレート１１０の蓋部１２０Ｂ装着部位には、図９に示すように、ネジ挿通穴１１９が設けられ、取付けベースプレート１１０の裏面（上面）のネジ挿通穴１１９の縁にはすり鉢状の凹みが形成されている。
【００３８】
そのため、このネジ挿通穴１１９に皿ネジ１１９Ａを挿通してねじ込むと、皿ネジ１１９Ａがタップを切りながら蓋部１２０Ｂに進入することによって、取付けベースプレート１１０と蓋部１２０Ｂの結合が行われる。
なお、蓋部１２０Ｂは装着後に取り外す必要がないので、樹脂にタップを切るようにして皿ネジ１１９Ａを取り付けても問題がない。また、取付けベースプレート１１０の裏面（上面）から皿ネジ１１９Ａをねじ込む構成であるため、ネジの頭を天井面と金属板の間に隠すことができるので、施工現場で不用意にネジを操作されることがない。また、ネジ挿通穴１１９の縁にはすり鉢状の凹みが形成されているため、ネジの頭が取付けベースプレート１１０の裏面から突出せず、取付けベースプレート１１０と天井面との間に隙間が生じることもないという利点がある。
【００３９】
さらに、取付けベースプレート１１０は蓋部１２０Ｂが装着された状態で、ネジＮ１によって天井面等に取付けることができるように工夫がなされている。具体的には、蓋部１２０Ｂが、取付けベースプレート１１０のネジ挿通用の穴１１３Ｂ，１１７Ｂが形成されている部位に接合されるように構成されており、蓋部１２０Ｂの当該部位には、図８に示すように、穴１１３Ｂ，１１７Ｂを囲むようにしてドライバの先端を挿入可能な大きさの貫通孔１２０ｄが形成されている。また、取付けベースプレート１１０に設けられている長穴１１２Ｂや穴１１８Ｂと重ならないように、蓋部１２０Ｂの形状が設計されている。
これにより、蓋部１２０Ｂに邪魔されることなく、穴１１２Ｂ、１１８Ｂあるいは貫通孔１２０ｄ内に位置する穴１１３Ｂまたは１１７Ｂに挿通されたネジＮ１をドライバで回して、天井面等の被取付け部に設けられているネジ穴に螺合させて、取付けベースプレート１１０を固定することができる。
【００４０】
また、ケース本体１２０Ａは、図３，４に示すように、本体の中央に、感知器配線を挿通可能にする開口１２３が形成されているとともに、本体外周の一部に、上記開口１２３と外側とを連通させる開口入口部１２４が形成されている。
一方、取付けベースプレート１１０は、上記アダプタケース１２０の外径と略同一の外径を有する略円形状の板部材であり、１枚の金属プレートをプレス加工等により成型して形成されており、ほぼ中央部に、感知器配線を挿通させるため、情報発信アダプタ１００に火災感知器２００を取付けた状態において感知器ベース２１０の引込穴２１５（図２参照）と対向するよう開口部１１４が設けられている。また、取付けベースプレート１１０には、周縁部からこの開口部１１４まで連続するように配線の挿入口１１５が形成されている。
上記のような構成を有することにより、既設の火災感知器に情報発信アダプタ１００を取り付ける際に、感知器から配線を外すことなく作業が行える。
【００４１】
また、図１０，１１に示すように、ケース本体１２０Ａの開口入口部１２４の近傍であって、蓋部１２０Ｂと対向する部分には、先端に係止用の爪１２８ａを有し移動方向（水平方向）に向かって突出する係止片１２８が１つ設けられており、蓋部１２０Ｂにおけるその係止片１２８と対向する部位には被係止部１２９が１つ設けられている。
この係止片１２８の爪１２８ａが被係止部１２９に係合されることで、ケース本体１２０Ａと蓋部１２０Ｂとが結合されるように構成されている。
つまり、ケース本体１２０Ａを蓋部１２０Ｂに向けてスライド移動させながら押し込むと、図１１に示すように、係止片１２８の爪１２８ａが被係止部１２９に係合して、ケース本体１２０Ａと蓋部１２０Ｂとを結合させることができる。
【００４２】
なお、係止片１２８の先端の爪１２８ａが被係止部１２９に係合した状態では、その爪１２８ａが蓋部１２０Ｂの外側に臨むようになるため、指で係止片１２８の先端の爪１２８ａを押し下げると、ケース本体１２０Ａと蓋部１２０Ｂとの結合を解除することができる。
特に、蓋部１２０Ｂの被係止部１２９の近傍には、被係止部１２９に係合された係止片１２８を操作可能にするための凹部１２９ａが形成されているので、指で係止片１２８の先端の爪１２８ａを押し下げ易くなっている。
例えば、これまで外観の美観から、係止片１２８をさほど突出させることができず、その係止片１２８に比較的指を掛け難いために、工具を使用しなければ係止片１２８と被係止部１２９との係合を解除することができないことがあったが、凹部１２９ａを形成したことで係止片１２８と被係止部１２９との係合を解除し易くなっている。
【００４３】
そして、このアダプタケース１２０には、係止片１２８と被係止部１２９が１組設けられているので、片手の操作でケース本体１２０Ａと蓋部１２０Ｂとの結合を解除することができる。
例えば、本発明者らが本発明よりも先に出願した特願２０１７−１８４４１０号における情報発信アダプタでは、そのアダプタケース１２０に係止片と被係止部が２組設けられているので、両手の操作でなければケース本体１２０Ａと蓋部１２０Ｂとの結合を解除することができなかった。
それに対し、本発明の情報発信アダプタ１００であれば、片手の操作でケース本体１２０Ａと蓋部１２０Ｂとの結合を解除することができるので、天井を向いて行う解除作業であっても比較的容易に行うことが可能になっている。
具体的には、天井面などの被取付け部Ｐに固定されたアダプタのケース本体１２０Ａの結合を解除するために、係止片１２８に掛ける指が１本で済み、さらにその指に力を入れるために他の指は感知器などに掛ける（確実に掴む）ことに使うことができるので、確実な解除作業や作業し易い体勢を維持して解除することができる。
このように、情報発信アダプタ１００のケース本体１２０Ａと蓋部１２０Ｂとの結合や解除を容易にできるので、火災感知器２００と天井等の被取付け部Ｐとの間に情報発信アダプタ１００のアダプタケース１２０を好適に着脱することができる。
【００４４】
そして、係止片１２８の先端の爪１２８ａを押し下げて、ケース本体１２０Ａと蓋部１２０Ｂとの結合を解除すると、図１０に示すように、蓋部１２０Ｂから離れる方向にケース本体１２０Ａがスライド移動する。
なお、このとき、ケース本体１２０Ａに形成されているスライド溝１２６に取付けベースプレート１１０のガイド片１１６が係入された状態であるので、蓋部１２０Ｂから離れる方向にケース本体１２０Ａがスライド移動する際、スライド溝１２６に係入されているガイド片１１６が、そのスライド溝１２６に沿って相対的に移動するようになる。
具体的には、図１３（Ａ）に示すように、ケース本体１２０Ａのスライド溝１２６には、ケース本体１２０Ａと蓋部１２０Ｂとが結合されている状態で、ガイド片１１６よりも蓋部１２０Ｂ側の位置に凸部１２６ａが設けられている。
そして、図１３（Ｂ）（Ｃ）に示すように、ケース本体１２０Ａが蓋部１２０Ｂから離間する方向にスライド移動する際に、凸部１２６ａがガイド片１１６に接触することで、ケース本体１２０Ａが移動する勢いが抑えられるようになっている。
例えば、図１３（Ｂ）に示すように、ケース本体１２０Ａが蓋部１２０Ｂから離間する方向にスライド移動する際に、凸部１２６ａがガイド片１１６に接触して、ケース本体１２０Ａのスライド移動が止まるようになる。
あるいは、図１３（Ｃ）に示すように、ケース本体１２０Ａが蓋部１２０Ｂから離間する方向に勢いよくスライド移動する際、凸部１２６ａがガイド片１１６に接触することでその勢いが抑えられ、凸部１２６ａがガイド片１１６を越えた位置でケース本体１２０Ａのスライド移動が止まるようになる。
このように、ケース本体１２０Ａと蓋部１２０Ｂとの結合が解除されて、蓋部１２０Ｂから離れる方向にスライド移動するケース本体１２０Ａは、蓋部１２０Ｂから離れ過ぎずに止まるので、そのケース本体１２０Ａが感知器ベース２１０（火災感知器２００）と取付けベースプレート１１０との間から抜け出てしまうことはない。
つまり、ケース本体１２０Ａと蓋部１２０Ｂとの結合が解除された際に、ケース本体１２０Ａがスライド移動しても、そのケース本体１２０Ａが感知器ベース２１０（火災感知器２００）と取付けベースプレート１１０との間から抜け出て脱落してしまうことはない。
【００４５】
次に、図７などに示すように、アダプタケース１２０の蓋部１２０Ｂを、取付けベースプレート１１０を天井面等に固定するための複数のネジ挿通穴１１２Ｂ，１１３Ｂ，１１７Ｂ、１１８Ｂが集中して設けられている位置（配線挿入口１１５と反対側の位置）に固定するようにした理由について説明する。
第１の理由は、本実施形態においては、前述したように、既設の火災感知器に情報発信アダプタ１００を装着した際に、ランプＬ１の位置は元の位置から所定角度（１５〜４０°）回転した位置になるが、その角度が大きいとランプＬ１の視野角すなわち見え方が極端に変わってしまうので望ましくなく、角度を小さくするには、蓋部１２０Ｂを上記のような位置に設定するのが良いためである。
【００４６】
第２の理由は、アダプタケース１２０と感知器ベース２１０とを一体に結合した状態で天井面等に固定するための３種類のネジ挿通穴１１２Ｂ，１１３Ｂ，１１７Ｂ（１１２Ａ，１１３Ａ，１１７Ａ）を分散して設けると、それらの穴に挿通されるネジを回せるようにするためにアダプタケースに設けられるドライバ挿入穴（１２０ｄ）も分散することになり、それによってアダプタケースの部品収納空間が狭められてしまうためである。３種類のネジ挿通穴１１２Ｂ，１１３Ｂ，１１７Ｂを互いに近接して１直線上に並べて配置することで、ドライバ挿入穴（１２０ｄ）を小さくすることができる。
【００４７】
第３の理由は、ケース本体１２０Ａを安定して支えられるようにするためである。取付けベースプレート１１０に装着されたアダプタケース１２０を支持するのが、Ｌ字状のベース固定部１１１Ａと１１１Ｂの下部の水平片の２点のみであると不安定である。そこで、支持の安定性を高めるために水平片の面積を大きくすることが考えられるが、取付けベースプレート１１０は金属であるため、この水平片の面積を大きくするとビーコン信号の送信の妨げとなる。また、アダプタケース１２０のケース本体１２０Ａの差込み方向は、配線挿入口１１５との関係でベース固定部１１１Ａと１１１Ｂの並びの方向と同一の方向であるが望ましいので、ケース本体１２０Ａは差込み方向の手前側と先端側の２箇所で支えるのが良い。また、差込み方向の先端側に蓋部１２０Ｂを配設して蓋部１２０Ｂと結合することで、ケース本体１２０Ａの先端を支えることができる。そのため、本実施例のように、差込み方向の手前側のベース固定部１１１Ａの水平片を大きくすることで、ケース本体１２０Ａを安定して支えることができる。
【００４８】
なお、火災感知器２００は、天井又は天井とみなせる固定器材（取付け具）に確実に取付けられる必要があるが、本実施形態の情報発信アダプタ１００は、ネジを用いて取付けベースプレート１１０を天井等の被取付け部Ｐに固定する構成であるため、取付けベースプレート１１０は天井とみなせる固定器材であると言える。そして、その取付けベースプレート１１０に、ネジを用いて火災感知器２００を取付けるため、火災感知器２００を確実に取付けることができる。すなわち、情報発信アダプタ１００は、火災感知器２００を取付け可能な被取付け部Ｐと同等の設置条件を満たし、火災感知器２００を取付けることができる。よって、本実施形態の情報発信アダプタ１００は、火災感知器２００の機能や性能に影響を与えることなく、火災感知器２００と被取付け部Ｐとの間に設置可能である。
【００４９】
以上、本発明の実施形態について説明したが、本発明は上記実施形態に限定されるものではない。例えば、上記実施形態では、情報発信アダプタ１００として発信機能を有するモジュールを内蔵した例を示したが、発信機能の他、受信機能を有するモジュールを内蔵するようにしても良い。また、火災感知器２００は、感知器ベース２１０と感知器本体２２０とに分離可能なものに限定されず適宜変更可能であり、例えば、感知器ベース２１０を備えない火災感知器、すなわち、感知器ベースを介することなく、被取付け部Ｐに一体的な構成のまま取付けられる火災感知器であっても良い。
【符号の説明】
【００５０】
１００  情報発信アダプタ
１１０  取付けベースプレート（ベース部材）
１１１Ａ，１１１Ｂ  ベース固定部（感知器固定部）
１１１ａ，１１１ｂ  ネジ穴
１１１Ｃ  押圧片
１１４  開口部
１１５  配線挿入口（入口部）
１１２，１１３，１１７，１１８  ネジ挿通穴
１１６  ガイド片
１２０  アダプタケース（ケース部材）
１２０Ａ  ケース本体
１２０Ｂ  蓋部
１２３  開口
１２４  開口入口部（入口）
１２５  隆起部
１２６  スライド溝
１２６ａ  凸部
１２８  係止片
１２８ａ  爪
１２９  被係止部
１２９ａ  凹部
２００  火災感知器
２１０  感知器ベース
２２０  感知器本体
Ｐ      被取付け部
Ｑ      配線
【図１】
2019207582.tif 000003
【図２】
2019207582.tif 000004
【図３】
2019207582.tif 000005
【図４】
2019207582.tif 000006
【図５】
2019207582.tif 000007
【図６】
2019207582.tif 000008
【図７】
2019207582.tif 000009
【図８】
2019207582.tif 000010
【図９】
2019207582.tif 000011
【図１０】
2019207582.tif 000012
【図１１】
2019207582.tif 000013
【図１２】
2019207582.tif 000014
【図１３】
2019207582.tif 000015